(57)【要約】【課題】画像形成装置のフレームに対して光走査ユニットを取り付ける場合に、光走査ユニットの基体に歪みが発生するのを防止すること。【解決手段】レーザ光源４およびそこから出射するレーザビームＬｙ，Ｌｍ，Ｌｃ，Ｌｋにより感光体表面を走査する複数の走査光学部品５を有する光走査光学系６と、それを支持する基体１と、前記基体１に連結され且つ前記光走査光学系６の主走査方向と平行な支持軸３であって画像形成装置のフレームの軸支持部材１１により感光体ＰＲの回転軸に平行に支持される前記支持軸３を備え、前記基体１は、前記支持軸３が前記軸支持部材１１に支持された状態で前記支持軸３の中心線回りに回転可能で且つ、前記フレームに設けた係合部１２に係合して位置決めされる被係合部２が設けられた光走査ユニットＵ１および、前記光走査ユニットＵ１を備えた画像形成装置Ｕ。【選択図】    図２
2004170643.tif 000002
【特許請求の範囲】
【請求項１】
次の構成要件（Ａ０１）〜（Ａ０７）を備えた画像形成装置、
（Ａ０１）回転する感光体と、前記感光体表面を帯電する帯電部材と、前記帯電された感光体表面に静電潜像を形成する光走査ユニットと、前記静電潜像をトナー像に現像する現像装置とを有するトナー像形成装置、
（Ａ０２）前記トナー像形成装置により形成されたトナー像を記録シートに転写する転写装置、
（Ａ０３）前記記録シートを収容する給紙トレイ、
（Ａ０４）前記給紙トレイの記録シートを、前記トナー像が記録シートに転写されるシート転写領域および記録シートに転写されたトナー像を定着する定着領域に順次搬送するシート搬送装置、
（Ａ０５）前記記録シート上に転写されたトナー像を前記定着領域において定着する定着装置、
（Ａ０６）レーザ光源および前記レーザ光源から出射するレーザビームにより感光体表面を走査する複数の走査光学部品を有する光走査光学系と、前記光走査光学系を支持する基体と、前記基体に連結され且つ前記光走査光学系の主走査方向と平行な支持軸であって画像形成装置のフレームの軸支持部材により感光体の回転軸に平行に支持される前記支持軸とを有する前記光走査ユニット、
（Ａ０７）前記支持軸が前記軸支持部材に支持された状態で前記支持軸の中心線回りに回転可能な前記基体であって、前記フレームに設けた係合部に係合して位置決めされる被係合部が設けられた前記基体。
【請求項２】
次の構成要件（Ａ０８）を備えたことを特徴とする請求項２記載の画像形成装置、
（Ａ０８）前記支持軸を支持するＶ型溝を有する前記軸支持部材。
【請求項３】
次の構成要件（Ａ０９）を備えたことを特徴とする請求項１または２記載の画像形成装置、
（Ａ０９）前記被係合部を前記係合部に押圧するために、前記フレームに支持され且つ前記基体に作用する弾性部材。
【請求項４】
次の構成要件（Ｂ０１）〜（Ｂ０３）を備えたことを特徴とする光走査ユニット、
（Ｂ０１）レーザ光源と、前記レーザ光源から出射するレーザビームにより感光体表面を走査する複数の走査光学部品とを有する光走査光学系、
（Ｂ０２）前記光走査光学系を支持する基体に連結され且つ前記光走査光学系の主走査方向と平行な支持軸、
（Ｂ０３）前記支持軸が画像形成装置のフレームの軸支持部材に支持された状態で前記フレームに設けた係合部に係合して位置決めされる被係合部が設けられた前記基体。
【請求項５】
次の構成要件（Ｂ０４）を備えたことを特徴とする請求項４記載の光走査ユニット、
（Ｂ０４）前記光走査光学系およびそれを支持する前記基体の重心から離れた位置で前記基体に連結された前記支持軸。
【請求項６】
次の構成要件（Ｂ０５）を備えたことを特徴とする請求項４または５記載の光走査ユニット、
（Ｂ０５）前記基体に固定された前記支持軸。
【請求項７】
次の構成要件（Ｂ０６）を備えたことを特徴とする請求項４ないし６のいずれか記載の光走査ユニット、
（Ｂ０６）前記基体に回転可能に連結された前記支持軸。
【発明の詳細な説明】
【０００１】
【発明の属する技術分野】
本発明は、複写機、プリンタ、ファクシミリ等の電子写真式の画像形成装置および画像形成装置で使用される光走査ユニットに関し、特に、光走査光学ユニットの光学要素（光源および走査光学系等）を支持する基体を画像形成装置のフレームに連結する際に、前記基体に歪みが生じないようにして、基体に支持された光学要素の位置ズレの発生を防止することが可能な画像形成装置および光走査ユニットに関する。
【０００２】
【従来の技術】
前記種類の画像形成装置および光走査ユニットとしては、次の技術（Ｊ０１）が従来公知である。
（Ｊ０１）特許文献１記載の技術
特許文献１に記載された画像形成装置では、レーザ光源と前記レーザ光源から出射するレーザビームにより感光体表面を走査する走査部品とを有する走査光学系と、前記走査光学系を支持する基体とにより光走査ユニットが構成されている。前記基体は、ガラス繊維を混入した剛性樹脂のモールド製品で、箱状に形成されている。前記光走査ユニットの基体は、ネジにより画像形成装置のフレームまたはフレームに支持された支持体等に固定される。
【０００３】
【特許文献１】実公平３−１０４８６号公報（公報第４欄第３２行〜第５欄第１５行、図２）
【０００４】
【発明が解決しようとする課題】
（前記従来技術（Ｊ０１）の問題点）
前記従来技術では、画像形成装置のフレームに対して、前記光走査ユニットの基体をネジで固定している。この場合、前記光走査ユニットの基体に歪みが生じる場合があり、その場合、前記光源および走査光学系の部品等の位置がずれて、画像を忠実に記録再生できなくなる。
本発明は、前述の事情に鑑み、次の記載内容（Ｏ０１）を技術的課題とする。
（Ｏ０１）画像形成装置のフレームに対して光走査ユニットを取り付ける場合に、光走査ユニットの基体に歪みが発生するのを防止すること。
【０００５】
【課題を解決するための手段】
次に、前記課題を解決した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００６】
（本発明）
（第１発明）
前記課題を解決するために、第１発明の画像形成装置は、次の構成要件（Ａ０１）〜（Ａ０７）を備えたことを特徴とする。
（Ａ０１）回転する感光体（ＰＲｙ，ＰＲｍ，ＰＲｃ，ＰＲｋ）と、前記感光体表面を帯電する帯電部材（ＣＲ）と、前記帯電された感光体表面に静電潜像を形成する光走査ユニット（Ｕ１）と、前記静電潜像をトナー像に現像する現像装置（Ｇｙ，Ｇｍ，Ｇｃ，Ｇｋ）とを有するトナー像形成装置（Ｕｔ）、
（Ａ０２）前記トナー像形成装置（Ｕｔ）により形成されたトナー像を記録シート（Ｓ）に転写するシート転写装置（ＤＲ１〜ＤＲ３，Ｔｓ）、
（Ａ０３）前記記録シート（Ｓ）を収容する給紙トレイ（ＴＲ１；ＴＲ１〜ＴＲ３）、
（Ａ０４）前記給紙トレイ（ＴＲ１；ＴＲ１〜ＴＲ３）の記録シート（Ｓ）を、前記トナー像が記録シート（Ｓ）に転写されるシート転写領域および記録シート（Ｓ）に転写されたトナー像を定着する定着領域に順次搬送するシート搬送装置（ＳＨ＋Ｒａ＋Ｒｒ）、
（Ａ０５）前記記録シート（Ｓ）上に転写されたトナー像を前記定着領域において定着する定着装置（Ｆ）、
（Ａ０６）レーザ光源（４）および前記レーザ光源（４）から出射するレーザビーム（Ｌｙ，Ｌｍ，Ｌｃ，Ｌｋ）により感光体表面を走査する複数の走査光学部品（５）を有する光走査光学系（６）と、前記光走査光学系（６）を支持する基体（１）と、前記基体（１）に連結され且つ前記光走査光学系（６）の主走査方向と平行な支持軸（３）であって画像形成装置のフレームの軸支持部材（１１）により感光体（ＰＲｙ，ＰＲｍ，ＰＲｃ，ＰＲｋ）の回転軸に平行に支持される前記支持軸（３）とを有する前記光走査ユニット（Ｕ１）、
（Ａ０７）前記支持軸（３）が前記軸支持部材（１１）に支持された状態で前記支持軸（３）の中心線回りに回転可能な前記基体（１）であって、前記フレームに設けた係合部（１２）に係合して位置決めされる被係合部（２）が設けられた前記基体（１）。
【０００７】
（第１発明の作用）
前記構成要件（Ａ０１）〜（Ａ０７）を備えた第１発明の画像形成装置では、回転する感光体（ＰＲｙ，ＰＲｍ，ＰＲｃ，ＰＲｋ）の表面は、帯電部材（ＣＲ）により帯電される。
前記光走査光学系（６）を支持する基体（１）に連結され且つ前記光走査光学系（６）の主走査方向と平行な支持軸（３）は、画像形成装置のフレームの軸支持部材（１１）により感光体（ＰＲｙ，ＰＲｍ，ＰＲｃ，ＰＲｋ）の回転軸に平行に支持される。
前記主走査方向と平行な支持軸（３）を感光体（ＰＲｙ，ＰＲｍ，ＰＲｃ，ＰＲｋ）の軸と平行に配置することにより、感光体表面をレーザビーム（Ｌｙ，Ｌｍ，Ｌｃ，Ｌｋ）により走査する際に感光体（ＰＲｙ，ＰＲｍ，ＰＲｃ，ＰＲｋ）の軸に沿って走査することが容易となる。
【０００８】
前記光走査ユニット（Ｕ１）の複数の走査光学部品（５）を有する光走査光学系（６）は、レーザ光源（４）から出射するレーザビーム（Ｌｙ，Ｌｍ，Ｌｃ，Ｌｋ）により前記感光体表面を走査して、感光体表面に静電潜像を形成する。
前記静電潜像は現像装置（Ｇｙ，Ｇｍ，Ｇｃ，Ｇｋ）によりトナー像に現像される。
給紙トレイ（ＴＲ１；ＴＲ１〜ＴＲ３）に収容された記録シート（Ｓ）は、シート搬送装置（ＳＨ＋Ｒａ＋Ｒｒ）により、シート転写領域に搬送される。シート転写装置（ＤＲ１〜ＤＲ３，Ｔｓ）は、前記シート転写領域において前記記録シート（Ｓ）に前記トナー像を転写する。定着装置（Ｆ）は、前記シート搬送装置（ＳＨ＋Ｒａ＋Ｒｒ）により搬送された記録シート（Ｓ）上に転写された前記トナー像を定着する。
【０００９】
前記光走査ユニット（Ｕ１）の基体（１）は、前記フレームの軸支持部材（１１）により前記支持軸（３）の中心線回りに回転可能に支持され、且つ、前記被係合部（２）が前記フレームに設けた係合部（１２）に係合して位置決めされる。
このため、前記基体（１）は、変形を受けるような応力が発生しない。したがって、画像形成装置のフレームに対して光走査ユニット（Ｕ１）を取り付ける場合に、光走査ユニット（Ｕ１）の基体（１）に歪みが発生するのを防止することができる。このため、基体（１）に支持された光走査光学系（６）の複数の光走査部品は、基体（１）の変形による位置ずれが発生しないので、画像形成不良等の発生を防止できる。
【００１０】
前記第１発明の画像形成装置において、次の構成要件（Ａ０８）を備えることが可能である。
（Ａ０８）前記支持軸（３）を支持するＶ型溝（１１ａ）を有する前記軸支持部材（１１）。
前記構成要件（Ａ０８）を備えた第１発明の画像形成装置では、画像形成装置のフレームの軸支持部材（１１）のＶ型溝（１１ａ）に、前記光走査ユニット（Ｕ１）の支持軸（３）を容易に支持することができる。また、フレームに支持された感光体（ＰＲｙ，ＰＲｍ，ＰＲｃ，ＰＲｋ）の軸と前記光走査ユニット（Ｕ１）の支持軸（３）とを平行に配置することが容易となる。
【００１１】
前記第１発明の画像形成装置において、次の構成要件（Ａ０９）を備えることが可能である。
（Ａ０９）前記被係合部（２）を前記係合部（１２）に押圧するために、前記フレームに支持され且つ前記基体（１）に作用する弾性部材（１４）。
前記構成要件（Ａ０９）を備えた第１発明の画像形成装置では、前記被係合部（２）を前記係合部（１２）に押圧するために、前記弾性部材（１４）は基体（１）に押圧力または引っ張り力を作用させるように構成することができる。前記弾性部材（１４）により、画像形成装置の前記フレームに光走査ユニット（Ｕ１）を取り付けた状態での、光走査ユニット（Ｕ１）の姿勢を安定して保持することが可能となる。
【００１２】
（第２発明）
また前記課題を解決するために、第２発明の光走査ユニット（Ｕ１）は、次の構成要件（Ｂ０１）〜（Ｂ０３）を備えたことを特徴とする。
（Ｂ０１）レーザ光源（４）と、前記レーザ光源（４）から出射するレーザビーム（Ｌｙ，Ｌｍ，Ｌｃ，Ｌｋ）により感光体表面を走査する複数の走査光学部品（５）とを有する光走査光学系（６）、
（Ｂ０２）前記光走査光学系（６）を支持する基体（１）に連結され且つ前記光走査光学系（６）の主走査方向と平行な支持軸（３）、
（Ｂ０３）前記支持軸（３）が画像形成装置のフレームの軸支持部材（１１）に支持された状態で前記フレームに設けた係合部（１２）に係合して位置決めされる被係合部（２）が設けられた前記基体（１）。
【００１３】
（第２発明の作用）
前記構成要件（Ｂ０１）〜（Ｂ０３）を備えた第２発明の光走査ユニット（Ｕ１）では、基体（１）は、レーザ光源（４）と、前記レーザ光源（４）から出射するレーザビーム（Ｌｙ，Ｌｍ，Ｌｃ，Ｌｋ）により感光体表面を走査する複数の走査光学部品（５）とを有する光走査光学系（６）を支持する。前記基体（１）に連結された支持軸（３）は、前記光走査光学系（６）の主走査方向と平行である。前記基体（１）に設けた被係合部（２）は、前記支持軸（３）が画像形成装置のフレームの軸支持部材（１１）に支持された状態で前記フレームに設けた係合部（１２）に係合して位置決めされる。
【００１４】
したがって、前記主走査方向と平行な支持軸（３）を画像形成装置の感光体（ＰＲｙ，ＰＲｍ，ＰＲｃ，ＰＲｋ）の軸と平行に配置することにより、レーザビーム（Ｌｙ，Ｌｍ，Ｌｃ，Ｌｋ）を感光体表面で走査する際に、感光体（ＰＲｙ，ＰＲｍ，ＰＲｃ，ＰＲｋ）の軸と平行に走査することが容易である。
また、前記光走査ユニット（Ｕ１）の基体（１）を、前記画像形成装置のフレームの軸支持部材（１１）により前記支持軸（３）の中心線回りに回転可能に支持することができる。前記支持軸（３）により回転可能に支持された基体（１）は、前記被係合部（２）が前記フレームに設けた係合部（１２）に係合して位置決めされる。
このため、前記基体（１）は、変形を受けるような応力が発生し難い。したがって、画像形成装置のフレームに対して光走査ユニット（Ｕ１）を取り付ける場合に、光走査ユニット（Ｕ１）の基体（１）に歪みが発生するのを防止することができる。このため、基体（１）に支持された光走査光学系（６）の複数の光走査部品は、基体（１）の変形による位置ずれが発生し難いので、画像形成不良等の発生を防止できる。
【００１５】
前記第２発明の光走査ユニット（Ｕ１）において、次の構成要件（Ｂ０４）を備えることが可能である。
（Ｂ０４）前記光走査光学系（６）およびそれを支持する前記基体（１）の重心から離れた位置で前記基体（１）に連結された前記支持軸（３）。
前記構成要件（Ｂ０４）を備えた第２発明の光走査ユニット（Ｕ１）では、前記支持軸（３）が画像形成装置のフレームの軸支持部材（１１）に支持された状態では、光走査ユニット（Ｕ１）の重心に作用する重力により前記基体（１）は前記支持軸（３）の中心線を回転中心として、基体（１）の重心が下方に移動する回転力を受ける。
したがって、前記重心が下方に移動する回転力を利用して、前記基体（１）に設けた被係合部（２）を前記フレームに設けた係合部（１２）に係合させることにより、基体（１）を容易に位置決め、支持することができる。
【００１６】
前記第２発明の光走査ユニット（Ｕ１）において、次の構成要件（Ｂ０５）を備えることが可能である。
（Ｂ０５）前記基体（１）に固定された前記支持軸（３）。
前記構成要件（Ｂ０５）を備えた第２発明の光走査ユニット（Ｕ１）では、前記基体（１）に前記支持軸（３）が固定されているので、基体（１）および前記支持軸（３）は、前記支持軸（３）の中心線を回転中心として一体的に回転する。
【００１７】
前記第２発明の光走査ユニット（Ｕ１）において、次の構成要件（Ｂ０６）を備えることが可能である。
（Ｂ０６）前記基体（１）に回転可能に連結された前記支持軸（３）。
前記構成要件（Ｂ０６）を備えた第２発明の光走査ユニット（Ｕ１）では、前記基体（１）に前記支持軸（３）が回転可能に連結されているので、基体（１）は、前記支持軸（３）回りに回転する。
【００１８】
【発明の実施の形態】
次に図面を参照しながら、本発明の実施の形態の画像形成装置を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１９】
（実施の形態１）
図１は本発明の実施の形態１の画像形成装置の縦断面図である。
図１において、実施の形態１の画像形成装置としてのプリンタＵは、外表面を形成するカバーパネルＫＰを有している。カバーパネルＫＰの上面には、シート排出トレイＴＲｈが設けられている。
【００２０】
前記プリンタＵには、図示しないコンピュータからＹ，Ｍ，Ｃ，Ｋ（イエロー、マゼンタ、シアン、黒）の画像データ（デジタルデータ）が入力される。入力された前記画像データは、プリンタＵ内部に配置されたコントローラＣにより一時的に記憶され、所定のタイミングで潜像形成用の画像データとしてレーザ駆動信号出力装置ＤＬに出力される。前記レーザ駆動信号出力装置ＤＬは、Ｙ，Ｍ，Ｃ，Ｋの各色に対応したレーザ駆動信号出力回路ＤＬｙ，ＤＬｍ，ＤＬｃ，ＤＬｋを有する。前記各色のレーザ駆動信号出力回路ＤＬｙ，ＤＬｍ，ＤＬｃ，ＤＬｋは、コントローラＣから入力された画像データに応じたレーザ駆動信号を所定のタイミングで、光走査ユニットＵ１（後で図２により詳述する）に出力する。
なお、前記コントローラＣは、前記レーザ駆動信号出力装置ＤＬと、後述の現像装置Ｇｙ，Ｇｍ，Ｇｃ，Ｇｋ）およびシート転写ロールＴｓ等にバイアス電圧を印加する電源回路Ｅ等の動作を制御する。
【００２１】
プリンタＵ内部には左右方向（Ｙ軸方向）の中央左寄り部分に４個のドラム状の感光体ＰＲｙ，ＰＲｍ，ＰＲｃ，ＰＲｋが上下方向に並んで配置されている。
４個の各感光体ＰＲｙ，ＰＲｍ，ＰＲｃ，ＰＲｋはそれぞれの帯電ロールＣＲにより一様に帯電された後、前記光走査ユニットＵ１の出力するＹ，Ｍ，Ｃ，Ｋの各色のレーザビームＬｙ，Ｌｍ，Ｌｃ，Ｌｋによりその表面に静電潜像が形成される。なお、画像がモノクロの場合は、Ｋ（黒）のみの画像データがレーザ駆動回路ＤＬに入力され、感光体ＰＲｋのみに静電潜像が形成される。
前記感光体ＰＲｙ，ＰＲｍ，ＰＲｃ，ＰＲｋ表面の静電潜像はそれぞれ、現像器（現像装置）Ｇｙ，Ｇｍ，Ｇｃ，Ｇｋにより各色ＹＭＣＫのトナー像に現像される。前記各現像器Ｇｙ〜Ｇｋには、画像形成装置Ｕの上部に配置された現像財剤カートリッジＫＴｙ〜ＫＴｋから現像剤が補給される。なお、画像形成装置Ｕの右側部分等にスペースが空いている場合には、そのスペースに前記現像財剤カートリッジＫＴｙ〜ＫＴｋを配置することも可能である。
前記各感光体ＰＲｙ〜ＰＲｋ、光走査ユニットＵ１、各色の現像器Ｇｙ〜Ｇｋ等によって、感光体ＰＲｙ〜ＰＲｋ表面にトナー像を形成するトナー像形成装置Ｕｔが構成される。
【００２２】
前記Ｙ（イエロー），Ｍ（マゼンタ）の感光体ＰＲｙ，ＰＲｍには１次転写ドラムＤＲ１が接触しており、前記Ｃ（シアン），Ｋ（黒）の感光体ＰＲｃ，ＰＲｋには１次転写ドラムＤＲ２が接触している。
前記各感光体ＰＲｙ，ＰＲｍおよびＰＲｃ，ＰＲｋ上に現像された各色Ｙ，ＭおよびＣ，Ｋのトナー像はそれぞれ、前記各感光体ＰＲｙ，ＰＲｍおよびＰＲｃ，ＰＲｋから１次転写ドラムＤＲ１および，ＤＲ２上に１次転写される。
【００２３】
前記１次転写ドラムＤＲ１およびＤＲ２には２次転写ドラムＤＲ３が接触している。
前記１次転写ドラムＤＲ１上に重ねて１次転写されたＹ，Ｍのトナー像および前記１次転写ドラムＤＲ２上に重ねて１次転写されたＣ，Ｋのトナー像は、２次転写ドラムＤＲ３上に重ねて２次転写される。すなわち、前記２次転写ドラムＤＲ３上には、Ｙ，Ｍ，Ｃ，Ｋの４色の２次転写トナー像が重ねて形成される。
【００２４】
前記２次転写ドラムＤＲ３上に重ねて転写されたＹ，Ｍ，Ｃ，Ｋのカラートナー像は、前記シート転写領域Ｑに搬送される。
前記２次転写ドラムＤＲ３にはシート転写ロールＴｓが離接可能（離隔および接触可能）に配置されており、２次転写ドラムＤＲ３およびシート転写ロールＴｓの対向する領域にはシート転写領域Ｑが形成される。前記シート転写ロールＴｓにはコントローラＣにより制御される電源回路Ｅから所定のタイミングで現像剤の帯電極性と逆極性のシート転写電圧が印加される。
前記１次転写ドラムＤＲ１，ＤＲ２と、２次転写ドラムＤＲ３と、シート転写ロールＴｓにより、前記トナー像形成装置Ｕｔで形成されたトナー像を記録シートＳ（後述）に転写するシート転写装置（ＤＲ１〜ＤＲ３，Ｔｓ）が構成されている。
【００２５】
プリンタＵの下部に配置された給紙トレイＴＲ１に収容された記録シートＳは、シート搬送路ＳＨにより前記シート転写領域Ｑに搬送される。すなわち、前記トレイＴＲ１の記録シートＳは、所定のタイミングでピックアップロールＲｐにより取り出され、さばきロールＲｓで１枚づつ分離されて、搬送ロールＲａによりレジロールＲｒに搬送される。前記給紙トレイＴＲ１はガイドレールＲＬ１，ＲＬ１により前後方向に移動可能に支持されている。また、前記シート搬送路ＳＨには手差トレイＴＲ０から記録シートＳを給紙できるようになっている。
前記レジロールＲｒに搬送された記録シートＳは、前記２次転写ドラムＤＲ３上の多重トナー像または単色トナー像がシート転写領域Ｑに移動するのにタイミングを合わせて、シート転写領域Ｑに搬送される。前記シート搬送路ＳＨ、シート搬送ロールＲａ、レジロールＲｒ等によりシート搬送装置（ＳＨ＋Ｒａ＋Ｒｒ）が構成されている。
【００２６】
前記シート転写領域Ｑにおいて前記シート転写ロールＴｓは、２次転写ドラムＤＲ３上のトナー像を記録シートＳに静電的に転写する。転写後の２次転写ドラムＤＲ３はドラムクリーナＣＬｄにより残留トナーが除去される。また、前記シート転写ロールＴｓはシート転写ロールクリーナＣＬｔにより表面付着トナーが回収される。
前記トナー像が転写された記録シートＳは、定着装置Ｆの一対の定着ロールＦｈ，Ｆｐの圧接領域（定着領域）に搬送され、定着領域を通過する際に加熱定着された後、排出ローラＲｈから排紙トレイＴＲｈに排出される。
【００２７】
図２は前記図１のプリンタの要部であるトナー像形成装置およびシート転写装置の拡大図である。
図２において、トナー像形成装置Ｕｔの光走査ユニットＵ１は、箱状の基体１を有している。本実施の形態１の基体１は樹脂製であり、前記基体１の下端部には１個の係合孔（被係合部）２が形成されている。また、基体１の上端部には前後方向（Ｘ軸方向）に延びる支持軸３が、連結されている。この実施の形態１では、前記支持軸３は、基体１に設けた軸連部材を貫通した状態で基体１に固定されている。
前記基体１には、４個のレーザダイオード４ｙ，４ｍ，４ｃ，４ｋを含むレーザ光源４と、前記４個の各レーザダイオード４ｙ，４ｍ，４ｃ，４ｋから出射したレーザビームＬｙ，Ｌｍ，Ｌｃ，Ｌｋを前記各感光体ＰＲｙ，ＰＲｍ，ＰＲｃ，ＰＲｋ上に収束させて走査させる走査光学部品５とを有する光走査光学系６が支持されている。前記光走査光学系６は、前記レーザ光源４と、シリンドリカルレンズ、ポリゴンミラー、シリンドリカルミラー等を有する前記走査光学部品５とにより構成されている。
【００２８】
図３は前記図２に示すトナー像形成装置の光走査ユニットを画像形成装置のフレームに取り付ける構造の説明図、図３Ａは正面図、図３Ｂは右側面図である。
図２、図３において、前記支持軸３は、光走査光学系６（図２参照）およびそれを支持する基体１の重心から離れた位置に連結され、且つ、前記光走査光学系６の主走査方向（図２、図２で画面に垂直な方向）と平行に配置されている。前記支持軸３は、画像形成装置Ｕのフレームの一部を構成する軸支持部材１１のＶ型溝１１ａにより、感光体ＰＲｙ，ＰＲｍ，ＰＲｃ，ＰＲｋ（図２参照）の回転軸に平行に且つ回転可能に支持される。
前記軸支持部材１１のＶ型溝１１ａに前記支持軸３が回転可能に支持された状態で、前記基体１の下端面に被係合部として形成された前記係合孔２は、前記画像形成装置Ｕのフレームに設けた１個の突出部材（係合部）１２に係合して位置決めされている。
【００２９】
また、画像形成装置Ｕのフレームには、Ｌ字ブラケット１３（図３Ａ参照）が固定されており、Ｌ字ブラケット１３には板バネ（弾性部材）１４が固定されている。前記板バネ１４は光走査ユニットＵ１を前記突出部材１２に押し付けることにより、前記画像形成装置Ｕのフレームに対する光走査ユニットＵ１の位置が移動するのを防止している。なお、実施の形態１では図２に示すように、光走査ユニットＵ１から出射して前記各感光体ＰＲｙ，ＰＲｍ，ＰＲｃ，ＰＲｋを走査する４本のレーザビームは、前記４個の各現像器Ｇｙ〜Ｇｋの上方を通過するように構成されている。
【００３０】
（実施の形態１の作用）
図２、図３において、前記光走査ユニットＵ１を画像形成装置Ｕのフレームに装着する作業を行う場合には、前記光走査ユニットＵ１を上方から下方に移動させた時に、前記基体１下端面の係合孔（被係合部）２を前記突出部材（係合部）１２に係合させると同時に、前記支持軸３を軸支持部材１１のＶ型溝１１ａに載置させる。このとき、前記軸支持部材１１および前記突出部材１２により光走査ユニットＵ１は、画像形成装置のフレームに支持される。
また、前記板バネ１４は光走査ユニットＵ１を前記突出部材１２に押し付けることにより、前記画像形成装置Ｕのフレームに対する光走査ユニットＵ１の位置が移動するのを防止している。
【００３１】
図２において、前記実施の形態１の画像形成装置Ｕでは、前記基体１に連結された支持軸３は、前記光走査光学系６の主走査方向（Ｘ軸方向）と平行であり、前記基体１に設けた係合孔（被係合部）２は、画像形成装置Ｕのフレームの軸支持部材１１のＶ型溝１１ａに前記支持軸３が支持された状態で、前記フレームに設けた突出部１２（係合部）に係合して位置決めされる。
したがって、前記支持軸１１を画像形成装置Ｕの感光体ＰＲｙ，ＰＲｍ，ＰＲｃ，ＰＲｋの軸と平行に配置することにより、レーザビームを感光体表面で走査する際に、感光体ＰＲｙ，ＰＲｍ，ＰＲｃ，ＰＲｋの軸と平行に（Ｘ軸方向に）走査させることが容易である。また、前記光走査ユニットＵ１の基体１は、前記画像形成装置Ｕのフレームの軸支持部材１１により前記支持軸３の中心線回りに回転可能に支持され、且つ、前記係合孔（被係合部）２が前記フレームに設けた突出部材（係合部）１２に係合して位置決めされるので、前記基体１には、変形が生じるような力が加わらない。したがって、画像形成装置Ｕのフレームに対して光走査ユニットＵ１を取り付けた場合に、光走査ユニットＵ１の基体１に歪みが発生するのを防止することができる。このため、基体１に支持された光走査光学系６の光走査部品５は、基体１の変形による位置ずれが発生し難い。
【００３２】
また、前記支持軸３が基体１を主走査方向に貫通する部材で構成されている場合、前記支持軸３により基体１の強度を補強することができる。このため、基体１自体の強度を必要以上に大きくしなくても基体１に発生する歪み、たわみ、ねじれ等を少なくすることができる。
また、本実施の形態１では、前記光走査ユニットＵ１は、従来技術のようにネジ止め固定されていないので、基体１が熱膨張等によって膨張・収縮した場合にネジ止め部分で発生していた応力による歪み、たわみ等の変形が発生しない。この結果、前記光走査ユニットＵ１の光走査光学系６に、基体１の変形による位置ずれが発生せず、画像形成不良等の発生を防止できる。
【００３３】
（実施の形態２）
図４は本発明の実施の形態２の画像形成装置の縦断面図で、前記実施の形態１の図１に対応する図である。
なお、この実施の形態２の説明において、前記実施の形態１の構成要素に対応する構成要素には同一の符号を付して、その詳細な説明を省略する。
図４において、実施の形態２の画像形成装置Ｕは、現像器Ｇｙ〜Ｇｋの形状が前記実施の形態１と相違している。また、感光体ＰＲｙ〜ＰＲｋに対する各現像器Ｇｙ〜Ｇｋの位置は、前記実施の形態１よりも上方に配置されている。すなわち、前記実施の形態１の現像器Ｇｙ〜Ｇｋの各現像ロールＧ０が感光体ＰＲｙ〜ＰＲｋの右下部に対向するように配置されていたのに対し、実施の形態２では、現像器Ｇｙ〜Ｇｋの各現像ロールＧ０が感光体ＰＲｙ〜ＰＲｋの右上部に対向するように配置されている。したがって、前記実施の形態１では、各感光体ＰＲｙ〜ＰＲｋに静電潜像を形成するレーザビームＬｙ〜Ｌｋは、各現像器Ｇｙ〜Ｇｋの上方を通過していたのに対し、この実施の形態２では、各感光体ＰＲｙ〜ＰＲｋに静電潜像を形成するレーザビームＬｙ〜Ｌｋは、各現像器Ｇｙ〜Ｇｋの下方を通過している。
この実施の形態２の画像形成装置は、上記の点で前記実施の形態１と相違しているが、他の点では前記実施の形態１と同様に構成されている。
この実施の形態２も前記実施の形態１と同様に、画像形成装置Ｕのフレームに対して光走査ユニットＵ１を取り付けた際に、光走査ユニットＵ１の基体１に歪みが発生するのを防止することができる。このため、基体１に支持された光走査光学系６の光走査部品５は、基体１の変形による位置ずれが発生しない。
【００３４】
（実施の形態３）
図５は本発明の実施の形態３の画像形成装置の縦断面図である。
なお、この実施の形態３の説明において、前記実施の形態２の構成要素に対応する構成要素には同一の符号を付して、その詳細な説明を省略する。
この実施の形態３の画像形成装置Ｕは、前記実施の形態２の１次転写ドラムＤＲ１，ＤＲ２および２次転写ドラムＤＲ３を省略して、その代わりに中間転写ベルトＢを使用している。また、実施の形態２ドラムクリーナＣＬｄの代わりにベルトクリーナＣＬｂが設けられており、感光体ＰＲｙ，ＰＲｍ，ＰＲｃ，ＰＲｋ上のトナー像を中間転写ベルトＢに転写する１次転写ロールＴ１ｙ，Ｔ１ｍ，Ｔ１ｃ，Ｔ１ｋが設けられている。
この実施の形態３の画像形成装置は、上記の点で前記実施の形態２と相違しているが、他の点では前記実施の形態２と同様に構成されている。
この実施の形態３も前記実施の形態２と同様に、画像形成装置Ｕのフレームに対して光走査ユニットＵ１を取り付ける場合に、光走査ユニットＵ１の基体１に歪みが発生するのを防止することができる。このため、基体１に支持された光走査光学系６の光走査部品５は、基体１の変形による位置ずれが発生しない。
【００３５】
（実施の形態４）
図６は本発明の実施の形態４の画像形成装置の縦断面図である。
図６において、画像形成装置Ｕは自動原稿搬送装置Ｕ２と、これを支持し且つ上端にプラテンガラスＰＧを有する画像形成装置本体（複写機）Ｕ３とを備えている。
前記自動原稿搬送装置Ｕ２は、複写しようとする複数の原稿Ｇｉが重ねて載置される原稿給紙トレイＴＧ１と、原稿給紙トレイＴＧ１から前記プラテンガラスＰＧ上の複写位置（原稿読取位置）を通過して搬送される原稿Ｇｉが排出される原稿排紙トレイＴＧ２とを有している。
前記画像形成装置本体Ｕ３は、ユーザがコピースタート等の作動指令信号を入力操作するＵＩ（ユーザインタフェース）と、露光光学系Ａ等を有している。
【００３６】
前記自動原稿搬送装置Ｕ３でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、ＣＣＤから入力される前記ＲＧＢの電気信号をＹ（イエロー）、Ｍ（マゼンタ）、Ｃ（シアン）、Ｋ（黒）の画像データに変換して一時的に記憶し、前記画像データを所定のタイミングで潜像形成用の画像データとしてレーザ駆動回路ＤＬに出力する。
なお、原稿画像がモノクロの場合は、Ｋ（黒）のみの画像データがレーザ駆動回路ＤＬに入力される。
前記レーザ駆動回路ＤＬは、各色Ｙ，Ｍ，Ｃ，Ｋの各レーザ駆動回路（図示せず）を有し、入力された画像データに応じたレーザ駆動信号を所定のタイミングで、光走査ユニット（静電潜像形成ユニット）Ｕ１の各色の潜像書込用レーザダイオード（図示せず）に出力する。
コントローラＣは、前記レーザ駆動信号出力装置ＤＬと、後述の現像装置Ｇｙ，Ｇｍ，Ｇｃ，Ｇｋ）およびシート転写ロールＴｓ等にバイアス電圧を印加する電源回路Ｅ等の動作を制御する。
【００３７】
前記光走査ユニットＵ１の上方に配置されたトナー像形成装置Ｕｙ，Ｕｍ，Ｕｃ，Ｕｋはそれぞれ、Ｙ（イエロー）、Ｍ（マゼンタ）、Ｃ（シアン）、およびＫ（黒）の各色のトナー像を形成する装置である。
光走査ユニットＵ１のＹ，Ｍ，Ｃ，Ｋの各レーザダイオード（図示せず）から出射したレーザビームＬｙ，Ｌｍ，Ｌｃ，Ｌｋは、それぞれ、回転する感光体ＰＲｙ，ＰＲｍ，ＰＲｃ，ＰＲｋに入射する。
Ｙのトナー像形成装置Ｕｙは、回転する感光体ＰＲｙ、帯電部材としての帯電ロールＣＲｙ，現像装置Ｇｙ、１次転写ロールＴ１ｙ、クリーナＣＬｙを有している。Ｍ，Ｃ，Ｋの各トナー像形成装置Ｕｍ，Ｕｃ，Ｕｋはいずれも前記Ｙのトナー像形成装置Ｕｙと同様に構成されている。
【００３８】
前記各感光体ＰＲｙ，ＰＲｍ，ＰＲｃ，ＰＲｋはそれぞれの帯電ロールＣＲｙ，ＣＲｍ，ＣＲｃ，ＣＲｋにより一様に帯電された後、画像書込位置（潜像書込位置）Ｑ１ｙ、Ｑ１ｍ，Ｑ１ｃ，Ｑ１ｋにおいて、前記レーザビームＬｙ，Ｌｍ，Ｌｃ，Ｌｋにより、その表面に静電潜像が形成される。前記感光体ＰＲｙ，ＰＲｍ，ＰＲｃ，ＰＲｋ表面の静電潜像は、現像領域Ｑ２ｙ，Ｑ２ｍ，Ｑ２ｃ，Ｑ２ｋにおいて現像器Ｇｙ，Ｇｍ，Ｇｃ，Ｇｋによりトナー像に現像される。
その現像されたトナー像は、中間転写ベルト（転写材）Ｂに接触する１次転写領域Ｑ３ｙ，Ｑ３ｍ，Ｑ３ｃ，Ｑ３ｋに搬送される。前記１次転写領域Ｑ３ｙ，Ｑ３ｍ，Ｑ３ｃ，Ｑ３ｋにおいて中間転写ベルトＢの裏面側に配置された１次転写ロールＴ１ｙ，Ｔ１ｍ，Ｔ１ｃ，Ｔ１ｋには、コントローラＣにより制御される電源回路Ｅから所定のタイミングでトナーの帯電極性と逆極性の１次転写電圧が印加される。
前記各感光体ＰＲｙ〜ＰＲｋ上のトナー像は前記１次転写ロールＴ１ｙ，Ｔ１ｍ，Ｔ１ｃ，Ｔ１ｋにより中間転写ベルトＢに１次転写される。１次転写後の感光体ＰＲｙ，ＰＲｍ，ＰＲｃ，ＰＲｋ表面の残留トナーは、感光体クリーナＣＬｙ，ＣＬｍ，ＣＬｃ，ＣＬｋによりクリーニングされる。
【００３９】
前記感光体ＰＲｙ〜ＰＲｋの上方には、上下移動可能且つ前方に引き出し可能なベルトモジュールＢＭが配置されている。前記ベルトモジュールＢＭは、前記中間転写ベルトＢと、テンションロールＲｔ、ウォーキングロールＲｗ、アイドラロール（フリーロール）Ｒｆおよび駆動ロール兼用のバックアップロールＴ２ａを含むベルト支持ロール（Ｒｔ，Ｒｗ，Ｒｆ，Ｔ２ａ）と、前記１次転写ロールＴ１ｙ，Ｔ１ｍ，Ｔ１ｃ，Ｔ１ｋとを有している。そして、前記中間転写ベルトＢは前記ベルト支持ロール（Ｒｔ，Ｒｗ，Ｒｆ，Ｔ２ａ）により回転移動可能に支持されている。したがって、前記駆動ロール兼用のバックアップロールＴ２ａを回転駆動する駆動装置および前記ベルト支持ロール（Ｒｔ，Ｒｗ，Ｒｆ，Ｔ２ａ）等により中間転写ベルト駆動装置すなわち、中間転写材（中間転写ベルト）を搬送する転写材搬送装置（Ｒｔ，Ｒｗ，Ｒｆ，Ｔ２ａ）が構成されている。
【００４０】
前記バックアップロールＴ２ａに接する中間転写ベルトＢの表面に対向して２次転写ロール（シート転写ロール）Ｔ２ｂが配置されており、前記各ロールＴ２ａ，Ｔ２ｂにより２次転写器（シート転写器）Ｔ２が構成されている。また、２次転写ロールＴ２ｂおよび中間転写ベルトＢの対向する領域には２次転写領域（シート転写領域）Ｑ４が形成される。
前記１次転写領域Ｑ３ｙ，Ｑ３ｍ，Ｑ３ｃ，Ｑ３ｋで１次転写器Ｔ１ｙ，Ｔ１ｍ，Ｔ１ｃ，Ｔ１ｋにより中間転写ベルトＢ上に順次重ねて転写されたカラートナー像は、前記２次転写領域（シート転写領域）Ｑ４に搬送される。
【００４１】
前記光走査ユニットＵ１の下方には、給紙トレイＴＲ１〜ＴＲ３を前後方向（Ｘ軸方向）に出入可能に支持する左右一対のガイドレールＧＲ、ＧＲが３段設けられている。給紙トレイＴＲ１〜ＴＲ３の記録シート（転写材）Ｓは、ピックアップロールＲｐにより取り出され、さばきロールＲｓにより１枚ずつ分離れてから複数の搬送ロールＲａによりレジロールＲｒに送られる。前記シート搬送ロールＲａはシートガイドにより形成されたシート搬送路ＳＨに沿って複数設けられており、２次転写領域Ｑ４のシート搬送方向上流側にはレジロールＲｒが配置されている。前記シート搬送路ＳＨ、シート搬送ロールＲａ、レジロールＲｒ等によりシート搬送装置（ＳＨ＋Ｒａ＋Ｒｒ）が構成されている。
【００４２】
レジロールＲｒは、前記中間転写ベルトＢに形成されたカラートナー像が２次転写領域（シート転写領域）Ｑ４に搬送されるのにタイミングを合わせて、前記記録シートＳを２次転写領域Ｑ４に搬送する。記録シートＳが前記２次転写領域Ｑ４を通過する際、前記バックアップロールＴ２ａはアースされ、２次転写ロール（シート転写ロール）Ｔ２ｂには前記コントローラＣにより制御される電源回路Ｅから所定のタイミングでトナーの帯電極性と逆極性の２次転写電圧（シート転写電圧）が印加される。このとき、前記中間転写ベルトＢ上のカラートナー像は、前記２次転写器（シート転写器）Ｔ２により前記記録シートＳに転写される。
２次転写後（シート転写後）の前記中間転写ベルトＢは、ベルトクリーナＣＬｂによりクリーニングされる。
【００４３】
前記トナー像が２次転写された記録シートＳは、定着装置Ｆの加熱ロールＦｈおよび加圧ロールＦｐの圧接領域である定着領域Ｑ５に搬送され、前記定着領域Ｑ５を通過する際に加熱定着された後、排出ローラＲｈから排紙トレーＴＲｈに出される。
なお、前記加熱ロールＦｈ表面には、記録シートＳの前記加熱ロールからの離型性を良くするための離型剤が離型剤塗布装置Ｆａにより塗布されている。
【００４４】
前記ベルトモジュールＢＭの上方にはＹ（イエロー），Ｍ（マゼンタ），Ｃ（シアン），Ｋ（黒）の各現像剤を収容する現像剤カートリッジＫｙ，Ｋｍ，Ｋｃ，Ｋｋが配置されている。各現像剤カートリッジＫｙ，Ｋｍ，Ｋｃ，Ｋｋに収容された現像剤は、前記現像器Ｇｙ，Ｇｍ，Ｇｃ，Ｇｋの現像剤の消費に応じて、図示しない現像剤補給路から前記各現像器Ｇｙ，Ｇｍ，Ｇｃ，Ｇｋに補給される。
【００４５】
図６において、前記画像形成装置Ｕは上側フレームＵＦと下側フレームＬＦとを有しており、上側フレームＵＦには、前記光走査ユニットＵ１および光走査ユニットＵ１よりも上方に配置された部材（感光体ＰＲｙ，ＰＲｍ，ＰＲｃ，ＰＲｋ、現像器Ｇｙ，Ｇｍ，Ｇｃ，Ｇｋ、ベルトモジュールＢＭ等）が支持されている。
また、下側フレームＬＦには、前記給紙トレイＴＲ１〜ＴＲ３を支持するガイドレールＧＲおよび前記各トレイＴＲ１〜ＴＲ３から給紙を行う前記給紙部材（ピックアップロールＲｐ，さばきロールＲｓ，シート搬送ロールＲａ等）が支持されている。
【００４６】
（光走査ユニットＵ１）
図７は実施の形態４の画像形成装置の光走査ユニットおよびその支持構造の説明図で、図７Ａは前記図６の画像形成装置の要部拡大図、図７Ｂは前記図７Ａの変更例を示す図である。
図６、図７Ａに示す光走査ユニットＵ１の説明において、前記図２に示す光走査ユニットＵ１に対応する構成要素には、同一の符号を付して、詳細な説明を省略する。
図６、図７Ａに示す実施の形態４の光走査ユニットＵ１は、箱状の基体１の形状が前記図２に示す箱状の基体と異なり、平面形状が広く、高さが低い直方体状である。図７Ａにおいて前記基体１には、図示しない４個のレーザダイオードを含むレーザ光源と、走査光学部品５とを有する光走査光学系６が支持されている。
【００４７】
前記基体１に固定された支持軸３は、前記光走査光学系６の主走査方向（Ｘ軸方向）と平行に配置されており、画像形成装置ＵのフレームのＶ型溝１１ａを有する軸支持部材１１により感光体ＰＲｙ，ＰＲｍ，ＰＲｃ，ＰＲｋの回転軸に平行に且つ回転可能に支持される。
また、前記画像形成装置Ｕのフレームには、係合凹部（係合部）１２ａ′を有する係合部材１２′が支持されており、前記基体１に設けた係合突出部２′は、前記支持軸３が前記軸支持部材１１に回転可能に支持された状態で、係合凹部１２ａ′に係合して位置決めされている。
【００４８】
また、画像形成装置Ｕのフレームに固定されたＬ字ブラケット１３には板バネ１４が固定されており、前記板バネ１４は光走査ユニットＵ１を下方（−Ｚ方向）に押圧して、係合突出部２′を係合部材１２′に押し付けることにより、前記画像形成装置Ｕのフレームに対する光走査ユニットＵ１の位置が移動するのを防止している。
【００４９】
（実施の形態４の作用）
前記光走査ユニットＵ１を画像形成装置Ｕのフレームに装着する作業を行う場合には、前記光走査ユニットＵ１を左方（−Ｙ方向）から右方（＋Ｙ方向）に移動させた時に、前記基体１右端面の係合突出部２′を前記係合部材１２′に係合させると同時に、前記支持軸３を軸支持部材１１のＶ型溝１１ａに載置させる。このとき、前記軸支持部材１１および前記突出部材１２′により光走査ユニットＵ１は、画像形成装置のフレームに位置決め支持される。
また、前記板バネ１４は光走査ユニットＵ１の係合突出部２′を前記係合部材１２′に押し付けることにより、前記画像形成装置Ｕのフレームに対する光走査ユニットＵ１の位置が移動するのを防止している。
【００５０】
前記光走査ユニットＵ１の基体１は、前記画像形成装置Ｕのフレームの軸支持部材１１により前記支持軸３の中心線回りに回転可能に支持され、且つ、前記係合突出部（被係合部）２′が前記フレームに設けた係合部材１２′の係合凹部（係合部）１２ａ′に係合して位置決めされる。
このため、前記基体１は、変形を受けるような応力が発生しない。したがって、画像形成装置Ｕのフレームに対して光走査ユニットＵ１を取り付ける場合に、光走査ユニットＵ１の基体１に歪みが発生するのを防止することができる。このため、基体１に支持された光走査光学系６の光走査部品５は、基体１の変形による位置ずれが発生しない。
【００５１】
（図７Ｂに示す前記実施の形態４の変更例）
図７Ｂにおいて、前記基体１には、その下面（−Ｚ面）右端位置（Ｙ端位置）に被係合部としての係合突出部２′が形成されており、前記支持軸３が前記軸支持部材１１に回転可能に支持された状態で、前記画像形成装置Ｕのフレームに設けた係合部材１２′の係合凹部（係合部）１２ａ′に係合して位置決めされている。その他の構成及び作用、効果は前記図７Ａの実施の形態４と同様である。
【００５２】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例（Ｈ０１）〜（Ｈ０４）を下記に例示する。
（Ｈ０１）本発明はカラーの画像形成装置だけでなく、モノクロの画像形成装置にも適用可能である。
（Ｈ０２）前記実施の形態１〜４では、光走査ユニットは、Ｙ，Ｍ，Ｃ，Ｋの４色の光走査光学系が１個の基体に支持されるように構成されているが、Ｙ，Ｍ，Ｃ，Ｋの各色の光走査光学系をそれぞれ別々の基体に支持する構成とすることが可能である。
（Ｈ０３）帯電部材としては、帯電ロールＣＲの代わりにコトロトロンのような放電式の帯電器を使用することが可能である。
（Ｈ０４）係合孔（被係合部）２および突出部材（係合部材）１２は、１個づつ設けることが好ましいが、複数設けることも可能である。
【００５３】
【発明の効果】
前述の本発明の加熱ロールユニットおよび画像形成装置は、下記の効果（Ｅ０１）を奏することができる。
（Ｅ０１）画像形成装置のフレームに対して光走査ユニットを取り付けた場合に、光走査ユニットの基体に歪みが発生するのを防止することができる。
【図面の簡単な説明】
【図１】図１は本発明の実施の形態１の画像形成装置の縦断面図である。
【図２】図２は前記図１のプリンタの要部であるトナー像形成装置およびシート転写装置の拡大図である。
【図３】図３は前記図２に示すトナー像形成装置の光走査ユニットを画像形成装置のフレームに取り付ける構造の説明図、図３Ａは正面図、図３Ｂは右側面図である。
【図４】図４は本発明の実施の形態２の画像形成装置の縦断面図で、前記実施の形態１の図１に対応する図である。
【図５】図５は本発明の実施の形態３の画像形成装置の縦断面図である。
【図６】図６は本発明の実施の形態４の画像形成装置の縦断面図である。
【図７】図７は光走査ユニットおよびその支持構造の説明図で、図７Ａは前記図６の画像形成装置の要部拡大図、図７Ｂは前記図７Ａの変更例を示す図である。
【符号の説明】
ＣＲ…帯電部材、Ｆ…定着装置、Ｇｙ，Ｇｍ，Ｇｃ，Ｇｋ…現像装置、ＰＲｙ，ＰＲｍ，ＰＲｃ，ＰＲｋ…感光体、Ｓ…記録シート、ＴＲ１；ＴＲ１〜ＴＲ３…給紙トレイ、Ｕ１…光走査ユニット、Ｕｔ…トナー像形成装置、
１…基体、２…被係合部（係合孔）、３…支持軸、４…レーザ光源、５…走査光学部品、６…光走査光学系、１１…軸支持部材、１１ａ…Ｖ型溝、１２…係合部（突出部材）、１４…弾性部材、
（ＤＲ１〜ＤＲ３，Ｔｓ）…シート転写装置、
（ＳＨ＋Ｒａ＋Ｒｒ）…シート搬送装置。
【図１】
2004170643.tif 000003
【図２】
2004170643.tif 000004
【図３】
2004170643.tif 000005
【図４】
2004170643.tif 000006
【図５】
2004170643.tif 000007
【図６】
2004170643.tif 000008
【図７】
2004170643.tif 000009